(57)【要約】【課題】  アンカー材をコンクリート建造物内に施工性を容易にして確実に埋設できるようにする。【解決手段】  コンクリート建造物内に埋設されるアンカー材３の端部面と型枠４面との間にスペースＳ形成用の第１の治具１を配置して型枠４内にコンクリート５を充填固化し、その固化後に第１の治具１を取り外すとともに、そのスペースＳに補強用の第２の治具２を装着し、第２の治具２を介してアンカー材３を使用することでコンクリート建造物に仮設構造体７、８を付設構築し、仮設構造体７、８の撤去後に第２の治具２を取り外すとともに、そのスペースＳを充填物により埋めてコンクリート建造物を建造する。【選択図】  図１
2006132291.tif 000002
【特許請求の範囲】
【請求項１】
コンクリート建造物内に埋設されるアンカー材の端部面と型枠面との間にスペース形成用の第１の治具を配置して型枠内にコンクリートを充填固化し、
その固化後に前記第１の治具を取り外すとともに、そのスペースに補強用の第２の治具を装着し、
前記第２の治具を介して前記アンカー材を使用することで前記コンクリート建造物に仮設構造体を付設構築し、
前記仮設構造体の撤去後に前記第２の治具を取り外すとともに、そのスペースを充填物により埋め、
て行なうことを特徴とするコンクリート建造物の建造方法。
【発明の詳細な説明】
【技術分野】
【０００１】  この発明は、アンカー材を内部に埋設して行なうコンクリート建造物の建造方法に関する。
【背景技術】
【０００２】  コンクリート建造物の建造に際しては、工事用仮設構造体を取り付けるため金属製のアンカー材を埋設することが行なわれる。最近では、このようにコンクリート建造物にアンカー材を埋設する場合、そのアンカー材が最終的にコンクリート建造物内に確実に埋設されるように指導されている。すなわち、アンカー材の端部がコンクリート建造物面に少しでも露呈するとその部分からアンカー材の腐食が進み、これがコンクリート建造物の強度を低下させて地震時等における崩壊の原因となるからである。
【発明の開示】
【発明が解決しようとする課題】
【０００３】  この発明は、上記の事情に鑑みて行なったもので、アンカー材をコンクリート建造物内に施工性を容易に、かつ、確実に埋設できるようにすることを目的とする。
【課題を解決するための手段】
【０００４】  コンクリート建造物内に埋設されるアンカー材の端部面と型枠面との間にスペース形成用の第１の治具を配置して型枠内にコンクリートを充填固化し、その固化後に前記第１の治具を取り外すとともに、そのスペースに補強用の第２の治具を装着し、前記第２の治具を介して前記アンカー材を使用することで前記コンクリート建造物に仮設構造体を付設構築し、前記仮設構造体の撤去後に前記第２の治具を取り外すとともに、そのスペースに充填物を埋めてコンクリート建造物を建造する。【０００５】  上記構成によれば、アンカー材の端部位置に充填物が埋められることでアンカー材がコンクリート建造物内に確実に埋設される。第１の治具はコンクリートの充填固化の短期間の後に取り外されるので、コンクリートとの密着が強固でなく、その取り外しが容易に行なわれる。第２の治具は第１の治具が取り外された空間に装着使用されるだけてあるので、長期間使用された場合にも容易に取り外せる。補強用の第２の治具が使用されることで仮設構造体が安定した状態に構築される。
【発明の効果】
【０００６】  この発明によれば、アンカー材をコンクリート建造物内に施工性を容易にして確実に埋設できるようになり、これにより、アンカー材の腐食によるコンクリート建造物の強度低下を防止できるようになる。くわえて、補強用の第２の治具を用いていることでアンカー材を使用しての仮設構造体の構築が安定しておこなわれる利点もある。
【発明を実施するための最良の形態】
【０００７】  図１はこの発明のコンクリート建造物の建造方法に用いられる第１の治具と第２の治具との外観を示す斜視図である。第１の治具１、第２の治具２はともに鉄製である。第１の治具１は円錐状のカラー部１２と、そのカラー部１２の細径側の端部面中央から一体に凸設される円筒状の係止部１３とからなる。係止部１３の内面と外面とにはともにネジ１４、１５が切られている。カラー部１２の太径側の端部面中央には操作器具である六角による操作用の凹部１６が設けられ、その底面中央の開口１７位置まで上記ネジ１４が連続して設けられている。１９はこの第１の治具１の型枠への取り付け用のボルトである。【０００８】  第２の治具２は上記第１の治具１のカラー部１２と同一の外形寸法を持ち、通孔２１を備えその内径は上記第１の治具１の係止部１３の外径とほぼ等しく形成されている。【０００９】  以下、図２から図５を参照してこの発明のコンクリート建造物の建造方法を順次説明する。３は筒状のアンカー材、４は型枠であり、アンカー材３と型枠４面間に係止部１３がアンカー材３の端部のネジ３１部分に螺入係止されるとともに、型枠４の外面側からボルト１９が底面中央の開口１７内のネジ１４部分に螺入固定されることで第１の治具１が装着されている。このアンカー材３が取り付けられた型枠４内空間にコンクリート５が充填固化される。【００１０】  次に、一週間ぐらい経過してコンクリート５の固化が完了すると、ボルト１９を取り外し、凹部１６に六角を装着して回転させることで第１の治具１を取り外す。その際、係止部１３がアンカー材３のネジ３１部分に螺入されていることで第１の治具１が回転により外方に突出してきてその取り出しが容易におこなわれる。図３は第１の治具１を取り外した状態を示し、アンカー材３の端部に相対する部分にスペースＳが形成されている。【００１１】  次に、図４に示すように、上記スペースＳに第２の治具２を装着し、その第２の治具２の通孔２１を挿通して仮設用ボルト７をアンカー材３のネジ３１部分にに螺入して取り付け、この仮設用ボルト７を使用して適宜仮設用部材８が取り付けられて仮設構造体がコンクリート建造物の外面に付設構築される。その際仮設用ボルト７は補強用の第２の治具２を介してアンカー材３端部に取り付けられることで、大きな重量の仮設用部材８を安定支持することが可能となる【００１２】  次に、二カ月ぐらい経過して仮設構造体を使用しての工事が完了すると、仮設用ボルト７、仮設用部材８が取り外されて仮設構造体が撤去される。それとともに第２の治具２も取り外され、その第２の治具２が取り外されて形成されるスペースＳ内にモルタル５ａが充填固化され、これによりアンカー材３の端部が完全に埋設された状態とされる。
【図面の簡単な説明】
【図１】  この発明において用いる第１の治具と第２の治具との実施形態の斜視図
【図２】  この発明のコンクリート建造物の建造方法の実施形態の説明断面図
【図３】  この発明のコンクリート建造物の建造方法の実施形態の説明断面図
【図４】  この発明のコンクリート建造物の建造方法の実施形態の説明断面図
【図５】  この発明のコンクリート建造物の建造方法の実施形態の説明断面図
【符号の説明】
１    第１の治具
２    第２の治具
３    アンカー材
４    型枠
５    コンクリート
５ａ  モルタル
Ｓ    スペース
【図１】
2006132291.tif 000003
【図２】
2006132291.tif 000004
【図３】
2006132291.tif 000005
【図４】
2006132291.tif 000006
【図５】
2006132291.tif 000007